(57)【特許請求の範囲】
【請求項１】
第１のＲＦＩＤタグが付されている商品を収容する収容室を有し、前記収容室内へ前記商品を入れるための開口部が形成されている筐体と、
前記開口部を開閉する蓋体と、
電波を放射する第１のアンテナと、
前記第１のアンテナを介して前記第１のＲＦＩＤタグから前記商品の価格情報及び前記第１のＲＦＩＤタグを識別する第１の識別情報を読み取る第１の読取部と、
前記商品の決済処理が終了したことを示す決済終了情報を前記第１のＲＦＩＤタグへ書き込むことなく前記価格情報に基づく決済処理を終了する決済処理部と、
前記第１の識別情報を送信する送信部と、
を備えるＰＯＳ装置と、
前記ＰＯＳ装置から送信される前記第１の識別情報を、前記ＰＯＳ装置による決済処理が済んだ商品に対応する識別情報を示す処理済識別情報として記憶する記憶部を備えるホストコンピュータと、
電波を放射する第２のアンテナと、
前記第２のアンテナを介して第２のＲＦＩＤタグから前記第２のＲＦＩＤタグを識別する第２の識別情報を読み取る第２の読取部と、
前記処理済識別情報の中に前記第２の識別情報と一致する識別情報がない場合に警報を出力する出力部と、
を備える防犯装置と、
を備える、管理システム。
【請求項２】
前記ホストコンピュータは、
前記第２の識別情報を前記防犯装置から受信する受信部と、
前記第２の識別情報を、前記処理済識別情報と照合する照合処理部と、
前記照合処理部による照合結果を前記防犯装置へ送信する送信部と、
を備える、請求項１に記載の管理システム。
【請求項３】
前記防犯装置は、
前記処理済識別情報を前記ホストコンピュータから受信する受信部と、
前記第２の識別情報を、前記処理済識別情報と照合する照合処理部と、
を備えている、
請求項１に記載の管理システム。
【発明の詳細な説明】
【技術分野】
【０００１】
本発明の実施形態は、ＰＯＳ(Point Of Sales)装置及びこれを備える管理システムに関する。
【背景技術】
【０００２】
客自身の操作に基づいて商品の決済処理を行うＰＯＳ装置（商品販売データ処理装置、チェックアウト装置、レジ装置ともいう）が存在する。このようなＰＯＳ装置には、各商品に付されているＲＦＩＤ（Radio  Frequency  Identifier）タグ（ＲＦＩＤチップともいう）から商品情報を一括で読み取るＲＦＩＤアンテナを備える読取装置が搭載されている。
【０００３】
客がＰＯＳ装置を用いて商品を購入する際の流れの一例を説明する。（１）客は、読取装置の扉を開けて、ＲＦＩＤタグが付されている商品を読取装置内に入れる。（２）客は読取装置の扉を閉め、ＰＯＳ装置による読取処理の開始を入力する。（３）客は、ＰＯＳ装置で読み取られた商品情報（品名、値段、数量など）を画面上で確認する。（４）客は、画面上で商品情報を確認した後に、決済方法（現金、クレジットカード、電子マネーなど）を選択する。客は、ＰＯＳ装置による決済処理の開始を入力する。（５）客は、商品の決済処理が終了したことを示す決済終了情報をＰＯＳ装置が全てのＲＦＩＤタグに書き込むまで待つ。（６）客は、ＰＯＳ装置による決済終了情報の書込処理が終了した後に、読取装置から商品を取り出し、袋詰め等をする。（７）客は、商品を持って防犯ゲートを通過し、店舗の外へ出る。このようにして、客は、商品の購入を終了する。
【先行技術文献】
【特許文献】
【０００４】
【特許文献１】特開２００７−２６４９１８号公報
【発明の概要】
【発明が解決しようとする課題】
【０００５】
しかしながら、上記（５）において、ＰＯＳ装置は、決済終了情報をＲＦＩＤタグに情報の書込処理をしている。一般的に、書込処理は、読取処理よりも強い電波強度を必要とする。さらに、ＰＯＳ装置は、読取処理をすることができたＲＦＩＤタグであっても、書込処理ができないこともある。さらに、書込処理は、読取処理よりも長い時間を必要とする。そのため、ＰＯＳ装置がＲＦＩＤタグへの書込処理を成功させたとしても、客は、この間待たされてしまう恐れがある。
【０００６】
本発明の実施形態が解決しようとする課題は、商品を購入しようとする客の利便性を向上させるＰＯＳ装置及び管理システムを提供することである。
【課題を解決するための手段】
【０００７】
実施形態によれば、ＰＯＳ装置は、筐体と、蓋体と、第１のアンテナと、第１の読取部と、決済処理部とを備える。前記筐体は、第１のＲＦＩＤタグが付されている商品を収容する収容室を有し、前記収容室内へ前記商品を入れるための開口部が形成されている。前記蓋体は、前記開口部を開閉する。前記第１のアンテナは、電波を放射する。前記第１の読取部は、前記第１のアンテナを介して前記第１のＲＦＩＤタグから前記商品の価格情報及び前記第１のＲＦＩＤタグを識別する第１の識別情報を読み取る。前記決済処理部は、前記商品の決済処理が終了したことを示す決済終了情報を前記第１のＲＦＩＤタグへ書き込むことなく前記価格情報に基づく決済処理を終了する。
【図面の簡単な説明】
【０００８】
【図１】本実施形態に係るＰＯＳ装置の外観図。
【図２】本実施形態に係る読取装置の外観図。
【図３】本実施形態に係る読取装置の断面図。
【図４】本実施形態に係るＰＯＳ装置のブロック図。
【図５】本実施形態に係る管理システムのブロック図。
【図６】本実施形態に係るＰＯＳ装置による処理のフローチャート。
【図７】本実施形態に係る防犯装置による処理のフローチャート。
【発明を実施するための形態】
【０００９】
以下、いくつかの実施の形態について、図面を参照して説明する。  
図１は、本実施形態に係る一例となるＰＯＳ装置１の外観図である。本実施形態で説明するＰＯＳ装置１は、例えば、客自身の操作に基づいて少なくとも決済（会計）処理を行うための装置である。決済処理とは、客自身によるＰＯＳ装置１の操作に基づいて、客が購入しようとする商品の代金を決済する処理である。本実施形態では、商品（対象物ともいう）は、ＲＦＩＤタグが付されているものとする。ＲＦＩＤタグは、これが付されている商品の価格（値段）情報を記憶している。ＲＦＩＤタグは、これを識別するための識別情報（シリアルコードともいう）を記憶していることもある。なお、ＲＦＩＤタグは、価格情報や識別情報以外の品名情報などを記憶していてもよい。
【００１０】
ＰＯＳ装置１は、読取装置１０１、カード挿入口１０２、レシート発行口１０３、紙幣入出口１０４、硬貨投入口１０５、硬貨取出口１０６、表示部１０７及び第１の検出部１０８を備えている。なお、ＰＯＳ装置１においてこれらが設けられている位置をＰＯＳ装置１の正面という。
【００１１】
読取装置１０１は、ＰＯＳ装置１の下段に配置されている。読取装置１０１は、客が購入しようとする商品をそのまま、または、商品が入れられたカゴごと収容可能である。読取装置１０１の形状及び読取装置１０１が備えている要素については後述する。読取装置１０１は、各商品に付されている各ＲＦＩＤタグから、各ＲＦＩＤタグに記憶されている各種情報を一括で読み取る。例えば、読取装置１０１は、各商品に付されている各ＲＦＩＤタグから価格情報を一括で読み取る。例えば、読取装置１０１は、各商品に付されている各ＲＦＩＤタグから識別情報を一括で読み取る。
【００１２】
カード挿入口１０２は、決済処理時に客がクレジットカードを挿入するためのユニットである。  
レシート発行口１０３は、決済処理時にレシートを発行するユニットである。  
紙幣入出口１０４は、決済処理時に客が紙幣を入れるユニットである。紙幣入出口１０４は、決済処理時に紙幣を排出されるユニットでもある。  
硬貨投入口１０５は、決済処理時に客が硬貨を投入するためのユニットである。
【００１３】
硬貨取出口１０６は、決済処理時にＰＯＳ装置１から返却される硬貨を客が受け取るためのユニットである。  
表示部１０７は、ＰＯＳ装置１の上段に配置されている。表示部１０７は、決済処理時に各種情報を表示する。例えば、表示部１０７は、液晶ディスプレイである。
【００１４】
次に、読取装置１０１の構成について説明する。図２は、一例となる読取装置１０１の外観図である。  
読取装置１０１は、載置台１０１１、筐体１０１２、蓋体１０１３及び検出部１０１４を備えている。
【００１５】
載置台１０１１は、載置面１０１１ａが形成されている板状部材である。載置面１０１１ａは、ＲＦＩＤタグが付されている商品をそのまま、または、商品が入れられたカゴを載置する。載置面１０１１ａは、水平面である。載置台１０１１は、電波透過性を有する材料で構成されている。例えば、載置台１０１１は、絶縁体である。載置台１０１１は、木材やガラス材等で構成されている。載置台１０１１がこのような材料で構成されている理由は、ＲＦＩＤに対して読み書きするための電波を透過させるためである。
【００１６】
筐体１０１２は、読取装置１０１の外装である。筐体１０１２は、その内部に商品を収容する収容室１０１２ａを備えている。収容室１０１２ａは、商品をそのまま、または、商品が入れられたカゴごと収容可能な大きさで構成されている。収容室１０１２ａは、複数の面で形成されている。収容室１０１２ａ内の空間は、複数の面によって読取装置１０１外と分離されている。例えば、収容室１０１２ａは、６面で構成されている箱型形状である。なお、収容室１０１２ａを形成する面の数はこれに限定されない。筐体１０１２は、その内部に載置台１０１１を収容する。載置面１０１１ａは、収容室１０１２ａを形成する複数の面に含まれる。
【００１７】
筐体１０１２は、第１の内面１０１２ｂ及び開口部１０１２ｃを備えている。  
第１の内面１０１２ｂは、複数の面を含む。第１の内面１０１２ｂは、収容室１０１２ａを形成する複数の面に含まれる。
【００１８】
開口部１０１２ｃは、収容室１０１２ａ内へ商品を入れるために筐体１０１２に形成されている。開口部１０１２ｃは、収容室１０１２ａ内へとつながる。開口部１０１２ｃは、カゴを出し入れ可能な大きさで筐体１０１２に形成されている。開口部１０１２ｃは、筐体１０１２を構成する略鉛直方向に延びる面に形成されている。なお、開口部１０１２ｃは、筐体１０１２の何れの位置に形成されていてもよい。
【００１９】
蓋体１０１３は、開口部１０１２ｃを開閉する。蓋体１０１３は、一端側に設けられている鉛直方向に沿った回転軸を中心に回動する。蓋体１０１３が開口部１０１２ｃを開けている状態（以下、開状態という）にある場合、客は、開口部１０１２ｃから収容室１０１２ａ内へ商品を入れることができる。蓋体１０１３は、第２の内面１０１３ａを備えている。蓋体１０１３が開口部１０１２ｃを閉じている状態（以下、閉状態という）にある場合、第２の内面１０１３ａは、収容室１０１２ａを形成する複数の面に含まれる。
【００２０】
上述のように、収容室１０１２ａは、載置面１０１１ａ、第１の内面１０１２ｂ及び第２の内面１０１３ａで形成されている。
【００２１】
筐体１０１２及び蓋体１０１３は、電波を反射する材料（以下、電波反射材料という）又は電波を吸収する材料（以下、電波吸収材料という）で構成されている。例えば、筐体１０１２及び蓋体１０１３は金属である。電波反射材または電波吸収材は、外部の電波が収容室１０１２ａ内に届くことを防ぐ。加えて、電波反射材または電波吸収材は、読取装置１０１内で発生した電波が読取装置１０１外へ漏れることを防ぐ。これにより、読取装置１０１は、外部からの電波を読み取ることはない。さらに、読取装置１０１は、外部のＲＦＩＤタグから情報を読み取ることもない。
【００２２】
検出部１０１４は、蓋体１０１３が閉状態にある場合における筐体１０１２と蓋体１０１３との勘合面にある。なお、検出部１０１４の位置はこれに限定されない。検出部１０１４は、蓋体１０１３の閉状態または開状態を検出（検知）する。検出部１０１４は、任意の手法を利用したセンサである。検出部１０１４による検出手法は例えば赤外線センサなどを用いる手法があるが、これ以外手法であってもよく特に限定されない。
【００２３】
図３は、図２における読取装置１０１のＸ−Ｘ断面図である。蓋体１０１３は閉状態にある。収容室１０１２ａは、複数の商品２０１が入れられたカゴ２０２を収容している。各商品２０１は、それぞれＲＦＩＤタグ２０３が付されている。
【００２４】
載置台１０１１は、載置面１０１１ａと対向する面１０１１ｂを備えている。筐体１０１２内には、載置台１０１１の面１０１１ｂと筐体１０１２の第１の内面１０１２ｂにより形成されている空間がある。筐体１０１２内のこの空間は、載置台１０１１を挟んで収容室１０１２ａと反対側に形成されている。
【００２５】
図３に示すように、読取装置１０１は、アンテナ１０１７を備えている。アンテナ１０１７は、面状のＲＦＩＤアンテナである。アンテナ１０１７は、電力が供給されることにより、ＵＨＦ帯等の電波を放射（出射ともいう）する。アンテナ１０１７は、収容室１０１２ａ内に向けて電波を放射する。
【００２６】
アンテナ１０１７は、載置台１０１１において載置面１０１１ａと対向する面１０１１ｂ側にある。アンテナ１０１７は、載置面１０１１ａと直交する方向において、載置面１０１１ａよりも収容室１０１２ａから離れた位置にある。アンテナ１０１７は、収容室１０１２ａ内に向けて電波を放射する。上述したように載置台１０１１は電波透過性を有する材料で構成されているため、アンテナ１０１７が放射する電波は、載置台１０１１を透過し、収容室１０１２ａ内に収容されている各商品２０１に付されている各ＲＦＩＤタグ２０３に届く。なお、読取装置１０１は、アンテナ１０１７の位置を移動させる駆動機構を備えていてもよい。読取装置１０１は、２つ以上のアンテナを備えていてもよい。
【００２７】
図４は、一例となるＰＯＳ装置１の制御系の構成を示すブロック図である。ＰＯＳ装置１は、上述の要素のほかに、制御部１１、記憶部１２、入力部１３、カード読取部１４、硬貨投入処理部１５、紙幣入出処理部１６、硬貨排出処理部１７、プリンタ１８、通信部１９及びリーダライタ１０１６を備えている。
【００２８】
制御部１１は、ＰＯＳ装置１の各部に接続されている。制御部１１は、各部の動作を制御する。例えば、制御部１１は、ＣＰＵ（Central  Processing  Unit）である。  
記憶部１２は、制御部１１が実行するプログラムを記憶するＲＯＭ (Read Only Memory)を含むことができる。記憶部１２は、制御部１１がプログラムを実行する際に一時的にデータを記憶するＲＡＭ (Random Access Memory)を含むこともできる。記憶部１２は、各種データを記憶するＨＤＤ (Hard Disk Drive)を含むこともできる。
【００２９】
入力部１３は、ＰＯＳ装置１を利用する客が各種情報を入力可能または選択可能な要素である。例えば、入力部１３は、表示部１０７と一体のタッチパネルである。  
カード読取部１４は、カード挿入口１０２で挿入されたクレジットカードから情報を読み取る。
【００３０】
硬貨投入処理部１５は、決済処理時に客が硬貨投入口１０５に投入した硬貨の額を計算処理する。  
紙幣入出処理部１６は、決済処理時に客が紙幣入出口１０４に入金した紙幣の額を計算処理する。紙幣入出処理部１６は、決済処理時に釣りとして返却する紙幣の排出を処理する。  
硬貨排出処理部１７は、決済処理時に釣りとして返却する硬貨の硬貨取出口１０６への排出を処理する。
【００３１】
プリンタ１８は、決済処理時にレシートを発行し、レシート発行口１０３からのレシートの排出を処理する。  
通信部１９は、ＰＯＳ装置１に有線又は無線で接続されている外部装置とデータを通信する。通信部１９は、送信部１９ａ及び受信部１９ｂを備えている。送信部１９ａは、外部装置へデータを送信する。例えば、送信部１９ａは、ＰＯＳ装置１による決済処理が済んだ商品に付されているＲＦＩＤに記憶されている識別情報を外部装置へ送信する。受信部１９ｂは、外部装置からデータを受信する。
【００３２】
リーダライタ１０１６は読取装置１０１内にある。リーダライタ１０１６は、アンテナ１０１５に電力を供給する。リーダライタ１０１６は、ＲＦＩＤタグ２０３に記憶されている情報を読み取るための電波をアンテナ１０１５から放射させる。リーダライタ１０１６は、アンテナ１０１５で受けるＲＦＩＤタグ２０３からの電波によって伝達される信号（以下、受信信号という）に含まれている情報を読み取る。このようにして、リーダライタ（読取部）１０１６は、アンテナ１０１５を介して、ＲＦＩＤタグ２０３から情報を読み取る。リーダライタ１０１６は、受信信号から読み取った情報を制御部１１へ送信する。
【００３３】
次に、ＰＯＳ装置１を含む管理システムの一例を説明する。図５は、一例となる管理システムのブロック図である。管理システムは、ＰＯＳ装置１、ホストコンピュータ３及び防犯装置４を備えている。なお、管理システムは、ＰＯＳ装置１と同様の複数のＰＯＳ装置を含んでいてもよい。管理システムは、防犯装置４と同様の複数の防犯装置を含んでいてもよい。
【００３４】
ＰＯＳ装置１の構成は上述のとおりである。図５を用いてＰＯＳ装置１における制御部１１の主な機能を説明する。ＰＯＳ装置１の制御部１１は、読取制御部１１１及び決済処理部１１２を備えている。
【００３５】
読取制御部１１１は、リーダライタ１０１８を用いて収容室１０１２ａ内のＲＦＩＤタグから情報を読み取る読取処理を制御する。例えば、読取制御部１１１は、価格情報及び識別情報を読み取るように制御する。読取制御部１１１は、ＲＦＩＤタグから価格情報及び識別情報以外の情報を読み取るように制御してもよい。
【００３６】
決済処理部１１２は、リーダライタ１０１６で読み取られた価格情報に基づいて決済処理を行う。例えば、決済処理部１１２は、カード読取部１４を用いて客がカード挿入口１０２へ挿入したクレジットカードを処理する。または、決済処理部１１２は、硬貨投入処理部１５及び紙幣入出処理部１６を用いて紙幣入出口１０４及び硬貨投入口１０５へ投入された現金を処理する。次に、決済処理部１１２は、リーダライタ１０１６で読み取られた価格情報に基づいて、クレジットカードまたは現金による商品の決済処理を行う。なお、決済処理部１１２は、電子マネーによる商品の決済処理を行ってもよい。次に、決済処理部１１２は、クレジットカードをカード挿入口１０２から返却する。または、決済処理部１１２は、紙幣入出処理部１６を用いて釣りとして返却する紙幣を紙幣入出口１０４から排出する。または、決済処理部１１２は、硬貨排出処理部１７を用いて釣りとして返却する硬貨を硬貨取出口１０６へ排出する。
【００３７】
ホストコンピュータ３は、ＰＯＳ装置１で決済処理された商品の情報を管理（認識）する装置である。ホストコンピュータ３は、制御部３１、記憶部３２及び通信部３３を備えている。
【００３８】
制御部３１は、ホストコンピュータ３の各部に接続されている。制御部３１は、各部の動作を制御する。例えば、制御部３１は、ＣＰＵである。  
記憶部３２は、制御部３１が実行するプログラムを記憶するＲＯＭを含むことができる。記憶部３２は、制御部３１がプログラムを実行する際に一時的にデータを記憶するＲＡＭを含むこともできる。記憶部３２は、各種データを記憶するＨＤＤを含むこともできる。記憶部３２は、店舗内にある全ての商品に付されているＲＦＩＤタグの識別情報を記憶する。さらに、記憶部３２は、ＰＯＳ装置１による決済処理が済んだ商品に対応する識別情報を示す処理済識別情報を記憶する。記憶部３２は、ＰＯＳ装置１から送信される識別情報を処理済識別情報として記憶する。記憶部３２は、複数の商品に対応する複数の処理済識別情報を記憶する。記憶部３２による処理済識別情報の管理手法は、特に限定されない。
【００３９】
通信部３３は、ホストコンピュータ３に有線又は無線で接続されている外部装置とデータを通信する。通信部３３は、送信部３３ａ及び受信部３３ｂを備えている。送信部３３ａは、外部装置へデータを送信する。例えば、送信部３３ａは、記憶部３２に記憶されている処理済識別情報を防犯装置４へ送信する。受信部３３ｂは、外部装置からデータを受信する。例えば、受信部３３ｂは、決済処理済みの商品に対応する識別情報をＰＯＳ装置１から受信する。例えば、受信部３３ｂは、防犯装置４がＲＦＩＤタグから読み取った識別情報を防犯装置４から受信する。
【００４０】
次に、図５を用いてホストコンピュータ３における制御部３１の主な機能を説明する。制御部３１は、照合処理部３１１を備えている。照合処理部３１１は、防犯装置４がＲＦＩＤタグから読み取った識別情報を、処理済識別情報と照合する。
【００４１】
防犯装置４は、店舗内からＰＯＳ装置１で決済処理が済んでいない商品の持ち出しを防止する装置である。例えば、防犯装置４は、客が店舗から出る際に通過する防犯ゲートである。防犯装置４は、制御部４１、記憶部４２、アンテナ４３、読取部４４、通信部４５及び出力部４６を備えている。
【００４２】
制御部４１は、防犯装置４の各部に接続されている。制御部４１は、各部の動作を制御する。例えば、制御部４１は、ＣＰＵである。  
記憶部４２は、制御部４１が実行するプログラムを記憶するＲＯＭを含むことができる。記憶部４２は、制御部４１がプログラムを実行する際に一時的にデータを記憶するＲＡＭを含むこともできる。記憶部４２は、各種データを記憶するＨＤＤを含むこともできる。例えば、記憶部４２は、ホストコンピュータ３から送信される処理済識別情報を記憶する。
【００４３】
アンテナ４３は、アンテナ１０１５と同様に構成されている。アンテナ４３は、電波を放射する。
【００４４】
読取部４４は、リーダライタ１０１６と同様に構成されている。読取部４４は、アンテナ４３を介してＲＦＩＤタグから識別情報を読み取る。読取部４４は、防犯装置４を通過する客が持っている商品に付されているＲＦＩＤタグから識別情報を読み取る。
【００４５】
通信部４５は、防犯装置４に有線又は無線で接続されている外部装置とデータを通信する。通信部４５は、送信部４５ａ及び受信部４５ｂを備えている。送信部４５ａは、外部装置へデータを送信する。例えば、送信部４５ａは、読取部４４で読み取られた識別情報をホストコンピュータ３へ送信する。受信部４５ｂは、外部装置からデータを受信する。例えば、受信部４５ｂは、処理済識別情報をホストコンピュータ３から受信する。
【００４６】
出力部４６は、警報を出力する。例えば、出力部４６は、警報を音声で出力するスピーカである。例えば、出力部４６は、警報を映像で出力するモニタである。
【００４７】
次に、図５を用いて防犯装置４における制御部４１の主な機能を説明する。制御部４１は、読取制御部４１１及び照合処理部４１２を備えている。
【００４８】
読取制御部４１１は、読取部４４を用いてＲＦＩＤタグから識別情報を読み取る読取処理を制御する。照合処理部４１２は、読取部４４がＲＦＩＤタグから読み取った識別情報を、処理済識別情報と照合する。
【００４９】
次に、客が商品を購入する際のＰＯＳ装置１による処理を説明する。図６は、ＰＯＳ装置１による処理の一例となるフローチャートである。
【００５０】
制御部１１は、検出部１０１４による検出結果に基づいて、蓋体１０１３が閉状態か否かを判断する（Ａｃｔ１００１）。例えば、蓋体１０１３が閉状態になる時は、客が商品を収容室１０１２ａに入れて、蓋体１０１３を閉めた時である。
【００５１】
蓋体１０１３が閉状態にない場合（Ａｃｔ１００１、Ｎｏ）、制御部１１は、蓋体１０１３が閉状態になるまで検出を継続する。蓋体１０１３が閉状態にある場合（Ａｃｔ１００１、Ｙｅｓ）、読取制御部１１１は、読取処理を制御する（Ａｃｔ１００２）。Ａｃｔ１００２では、読取制御部１１１は、収容室１０１２ａ内の全ての商品に付されているＲＦＩＤタグから情報を読み取るように制御する。リーダライタ１０１６は、アンテナ１０１５を介して、ＲＦＩＤタグから価格情報及び、このＲＦＩＤタグを識別する識別情報を読み取る。読取制御部１１１が読取処理を開始する時は、例えば客が入力部１３で読取処理の開始を入力した時である。
【００５２】
次に、制御部１１は、リーダライタ１０１６で読み取られた情報に基づいて、商品情報を表示部１０７に表示するように制御する（Ａｃｔ１００３）。例えば、商品情報は、商品名、商品の数量、各商品の価格及び合計額などである。客は、商品情報を表示部１０７で確認することができる。
【００５３】
次に、決済処理部１１２は、決済処理を行う（Ａｃｔ１００４）。決済処理部１１２が決済処理を開始する時は、例えば客が入力部１３で決済方法を選択し、決済処理の開始を入力した時である。決済処理が終了していない場合（Ａｃｔ１００４、Ｎｏ）、決済処理部１１２は、決済処理を継続する。決済処理が終了した場合（Ａｃｔ１００４、Ｙｅｓ）、制御部１１は、識別情報をホストコンピュータ３へ送信するように制御する（Ａｃｔ１００５）。Ａｃｔ１００５では、送信部１９ａは、ＰＯＳ装置１による決済処理が済んだ商品に付されているＲＦＩＤタグに記憶されている識別情報をホストコンピュータ３へ送信する。つまり、送信部１９ａがホストコンピュータ３送信する識別情報は、決済処理済みの商品に対応する識別情報である。制御部１１は、Ａｃｔ１００５の処理に後に一連の処理を終了する。客は、収容室１０１２ａから取り出した商品を持ってＰＯＳ装置１から離れることができる。なお、制御部１１は、収容室１０１２ａからの商品の取出しを促す情報を表示部１０７に表示するように制御してもよい。
【００５４】
上述のように、決済処理部１１２は、ＲＦＩＤタグに決済終了情報を書き込むことなく価格情報に基づく決済処理を終了する。決済終了情報は、ＰＯＳ装置１による商品の決済処理が終了したことを示す情報である。つまり、ＰＯＳ装置１は、決済終了情報を全てのＲＦＩＤタグへの書込処理を省略することができる。本実施形態によれば、ＰＯＳ装置１は、決済終了情報の書込処理での失敗がなくなる。ＰＯＳ装置１は、客が商品の購入に要する待ち時間を削減することができる。ＰＯＳ装置１は、スムーズな決済処理を実現できる。したがって、商品を購入する際にＰＯＳ装置１を利用する客の利便性は向上する。
【００５５】
次に、客が商品を持って店舗を出る際の防犯装置４による処理を説明する。図７は、防犯装置４による処理の一例となるフローチャートである。
【００５６】
読取制御部４１１は、ＲＦＩＤタグから識別情報が読み取れたか否かを判断する（Ａｃｔ２００１）。読取制御部４１１が読み取るＲＦＩＤタグは、防犯装置４を通過する客が持っている商品に付されているＲＦＩＤタグである。ＲＦＩＤタグから識別情報が読み取られていない場合（Ａｃｔ２００１、Ｎｏ）、読取制御部４１１は、識別情報の読取制御を継続する。
【００５７】
ＲＦＩＤタグから識別情報が読み取られた場合（Ａｃｔ２００１、Ｙｅｓ）、照合処理部４１２は、識別情報の照合結果を判断する（Ａｃｔ２００２）。Ａｃｔ２００３では、照合処理部４１２は、処理済識別情報の中に、防犯装置４が読み取った識別情報と一致する識別情報がある否かを判断する。言い換えると、照合処理部４１２は、処理済識別情報の中に、防犯装置４が読み取った識別情報が含まれているか否かを判断する。
【００５８】
照合結果が一致を示している場合（Ａｃｔ２００２、Ｙｅｓ）、防犯装置４は、処理を終了する。照合結果が一致を示している場合とは、処理済識別情報の中に、防犯装置４が読み取った識別情報と一致する識別情報がある場合を意味する。つまり、照合結果が一致を示している場合とは、防犯装置４が読み取った識別情報に対応する商品の決済処理が適正に終了している場合を意味する。そのため、客は、商品を持って防犯装置４を通過し、店舗の外へ出ることができる。照合結果が不一致を示している場合（Ａｃｔ２００２、Ｎｏ）、出力部４６は警報を出力する（Ａｃｔ２００３）。照合結果が不一致を示している場合とは、処理済識別情報の中に、防犯装置４が読み取った識別情報と一致する識別情報がない場合を意味する。つまり、照合結果が不一致を示している場合とは、防犯装置４が読み取った識別情報に対応する商品の決済処理が終了して場合を意味する。
【００５９】
決済終了情報をＲＦＩＤタグに書き込む態様では、防犯装置は、ＲＦＩＤタグから決済終了情報が読み取れなかった場合に警報を出力していた。例えば、防犯装置は、決済終了情報の書込処理が失敗したＲＦＩＤタグから決済終了情報を読み取れなかった場合にも警報を出力していた。そのため、防犯装置は、決済処理が終了した商品であっても誤って警報を出力する場合があった。本実施形態によれば、ＰＯＳ装置１は決済終了情報の書込処理を省略するため、防犯装置４は誤った警報を出力することはない。管理システムは、ＰＯＳ装置１によるＲＦＩＤタグへの決済終了情報の書込み処理を省略してもセキュリティを保つことができる。そのため、客は、問題なく商品を持って防犯装置４を通過し、店舗の外へ出ることができる。
【００６０】
なお、Ａｃｔ２００２における照合結果は、ホストコンピュータ３または防犯装置４で導くことができる。  
はじめに、ホストコンピュータ３が照合結果を導く例を説明する。ホストコンピュータ３は、以下のような処理により、照合結果を導く。
【００６１】
受信部３３ｂは、防犯装置４がＲＦＩＤタグから読み取った識別情報を防犯装置から受信する。照合処理部３１１は、防犯装置４が読み取った識別情報を、記憶部３２に記憶されている処理済識別情報と照合する。照合処理部３１１は、処理済識別情報の中に防犯装置４が読み取った識別情報と一致する識別情報があるか否かを判断する。送信部３３ａは、照合処理部３１１による照合結果を防犯装置４へ送信する。照合結果は、一致または不一致の情報である。一致を示す照合結果は、処理済識別情報の中に防犯装置４が読み取った識別情報と一致する識別情報があることを意味する。不一致を示す照合結果は、処理済識別情報の中に防犯装置４が読み取った識別情報と一致する識別情報がないことを意味する。
【００６２】
ホストコンピュータ３からの照合結果に基づいて、防犯装置４は、Ａｃｔ２００２を処理することができる。
【００６３】
つぎに、防犯装置４が照合結果を導く例を説明する。防犯装置４は、以下のような処理により、照合結果を導く。
【００６４】
受信部４５ｂは、処理済識別情報をホストコンピュータ３から受信する。受信部４５ｂが処理済識別情報を受信するタイミングは、特に限定されない。
【００６５】
照合処理部４１２は、読取部４４がＲＦＩＤタグから読み取った識別情報を、処理済識別情報と照合する。これにより、照合処理部４１２は、Ａｃｔ２００２を処理することができる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１…ＰＯＳ装置、３…ホストコンピュータ、４…防犯装置、１１…制御部、１２…記憶部、１３…入力部、１４…カード読取部、１５…硬貨投入処理部、１６…紙幣入出処理部、１７…硬貨排出処理部、１８…プリンタ、１９…通信部、１９ａ…送信部、１９ｂ…受信部、３１…制御部、３２…記憶部、３３…通信部、３３ａ…送信部、３３ｂ…受信部、４１…制御部、４２…記憶部、４３…アンテナ、４４…読取部、４５…通信部、４５ａ…送信部、４５ｂ…受信部、４６…出力部、１０１…読取装置、１０２…カード挿入口、１０３…レシート発行口、１０４…紙幣入出口、１０５…硬貨投入口、１０６…硬貨取出口、１０７…表示部、１１１…読取制御部、１１２…決済処理部、２０１…商品、２０２…カゴ、２０３…ＲＦＩＤタグ、３１１…照合処理部、４１１…読取制御部、４１２…照合処理部、１０１１…載置台、１０１１ａ…載置面、１０１１ｂ…面、１０１２…筐体、１０１２ａ…収容室、１０１２ｂ…第１の内面、１０１２ｃ…開口部、１０１３…蓋体、１０１３ａ…第２の内面、１０１４…検出部、１０１５…アンテナ、１０１６…リーダライタ。
【図１】
0006804880.tif 000002
【図２】
0006804880.tif 000003
【図３】
0006804880.tif 000004
【図４】
0006804880.tif 000005
【図５】
0006804880.tif 000006
【図６】
0006804880.tif 000007
【図７】
0006804880.tif 000008